(57)【要約】【課題】母線ユニット部とメーターパネル部との取り付けが容易なキュービクル式高圧受電設備や配電盤等に使用する電気機器収納用箱を提供する。【解決手段】電流計などの計器類を収納するメーターパネル部３を、プラグイン式の分岐開閉器２１等を搭載し垂直方向にそれぞれ平行に設置する母線２２を備える母線ユニット部２のフレーム枠２０に取り付ける。【選択図】図１
2010268648.tif 000002
【特許請求の範囲】
【請求項１】
電流計などの計器類を収納するメーターパネル部を、プラグイン式の分岐開閉器等を搭載し垂直方向にそれぞれ平行に設置する母線を備えた母線ユニット部のフレーム枠に取り付けたことを特徴とする電気機器収納用箱。
【請求項２】
前記メーターパネル部は前記母線ユニット部のフレーム枠の幅内に取り付けた請求項１に記載の電気機器収納用箱。
【請求項３】
前記メーターパネル部は前面板部の両側後部に腕板部を張設したコ字状に形成したものであり、該腕板部を前記母線ユニット部のフレーム枠の側面で
係止した請求項２に記載の電気機器収納用箱。
【発明の詳細な説明】
【技術分野】
【０００１】
本発明は、屋外に設置するキュービクル式高圧受電設備や配電盤等に使用する電気機器収納用箱に関するものである。
【背景技術】
【０００２】
従来の電気機器収納用箱は、例えば、図９に示すキュービクル式高圧受電設備に使用するものように、負荷に電流・電圧を供給するための開閉器等を搭載する母線ユニット部１０１と電流計などの計器類、ＯＮ・ＯＦＦを表示するランプ等を取り付けるメーターパネル部１０２とをそれぞれ別に組み立てたうえ電気機器収納用箱のフレーム１０３に取り付けるものであった。
【０００３】
ところが、母線ユニット部１０１とメーターパネル部１０２とをそれぞれ別に組み立てたうえ電気機器収納用箱のフレーム１０３に取り付けるため、その取り付けに時間がかかるものであった。また、メーターパネル部１０２はその両側を電気機器収納用箱の２本の縦フレーム１０３に取り付けるものであるため、２本の縦フレーム１０３の間隔に合うサイズのものを用意しておく必要があった。
【０００４】
また、メーターパネル部１０２を取り付けてから他の母線ユニット部を増設するのには、この母線ユニット部に対応させたメーターパネル部に交換しなければならないものであった。
【先行技術文献】
【特許文献】
【０００５】
【特許文献１】特開平０９−１６３５１８号公報
【発明の概要】
【発明が解決しようとする課題】
【０００６】
本発明は、母線ユニット部とメーターパネル部との取り付けが容易なキュービクル式高圧受電設備や配電盤等に使用する電気機器収納用箱を提供する。
【課題を解決するための手段】
【０００７】
本発明に係る電気機器収納用箱は、電流計などの計器類を収納するメーターパネル部をプラグイン式の分岐開閉器等を搭載し垂直方向にそれぞれ平行に設置する母線を備えた母線ユニット部のフレーム枠に取り付けたことを特徴とするものを基本の発明とする。
【０００８】
そして、前記メーターパネル部は前記母線ユニット部機器取付ユニットのフレーム枠の幅内に取り付けることが好ましく、さらに、前記メーターパネル部は前面板部の両側後部に腕板部を張設したコ字状に形成して、該腕板部を前記母線ユニット部のフレーム枠の側面で係止することがより好ましいものである。
【発明の効果】
【０００９】
本発明に係る電気機器収納用箱は、電流計などの計器類を収納するメーターパネル部を負荷に電源を供給する分岐開閉器等を搭載する母線ユニット部のフレーム枠に取り付けたものであるので、前記母線ユニット部とメーターパネル部とは電気機器収納用箱に一緒に取り付けできるので取り付け作業が容易なものである。特にメーターパネル部は電気機器収納用箱のフレームに直接取り付ける必要がないので、同一の大きさのメーターパネル部で幅の異なる電気機器収納用箱にも対応できるものである。
【００１０】
また、前記メーターパネル部は前記母線ユニット部のフレーム枠の幅内に取り付けることにより、メーターパネル部のメータ類と母線ユニット部の機器との関係が判りやすいものとなる。さらに、前記メーターパネル部は前面板部の両側後部に腕板部を張設したコ字状に形成して、該腕板部を前記母線ユニット部のフレーム枠の側面で係止することにより、メーターパネル部のメータ類取付スペース及び母線ユニット部の機器取付スペースが広く取れるものである。
【図面の簡単な説明】
【００１１】
【図１】本発明の実施形態を示す正面図。
【図２】同じく側面図。
【図３】本発明の実施形態に使用するメーターパネル部と母線ユニット部を示す斜視図。
【図４】本発明の実施形態に使用するメーターパネル部と母線ユニット部を示す正面図。
【図５】本発明の実施形態に使用するメーターパネル部と母線ユニット部を示す背面図。
【図６】本発明の実施形態に使用する保護板を示す斜視図。
【図７】本発明の実施形態に使用する保護板を示す側面図。
【図８】本発明の実施形態に使用する保護板を態様を異にして示す側面図。
【図９】従来例を示す正面図。
【発明を実施するための形態】
【００１２】
次に本発明の実施形態を図示のキュービクル式高圧受電設備に使用する電気機器収納用箱に基づいて説明する。
図1と図２は本発明に係る電気機器収納用箱を示す正面図と側面図である。この電気機器収納用箱１は外郭フレーム１ａで箱形状を形成して、この外郭フレーム１ａを前扉・背面板、側面板、天板１ｂ等の外郭を覆ったものである。なお、図示のものは内部形状を分かりやすくするため前扉・背面板、側面板を省略している。
【００１３】
また、前記電気機器収納用箱１には機器取付のための機器取付用縦フレーム１１と機器取付用横フレーム１２が数本取り付けられている。なお、機器取付用縦フレーム１１は前記外郭フレーム１ａにその機能を備えたものとしても良い。
【００１４】
２は母線ユニット部であり、該母線ユニット部２は図１で省略したが、図３及び図４に示すように複数の分岐開閉器２１を搭載するものであり、分岐開閉器２１へ電気を供給する３本の母線２２が該母線ユニット部２の垂直方向にそれぞれ平行に設置され、該母線２２を支持する支持部材２３と、外郭を構成するフレーム枠２０と、母線２２の上部を嵌合する凹欠部を設けた絶縁材よりなる補強部材２５からなるものである。また、前記母線ユニット２の前面側より、裏面側にプラグ端子を持つ前記分岐開閉器２１を前記母線２２に差し込み接続できる構造である。なお、前記母線ユニット部２は分岐開閉器２１を搭載しない箇所では母線２２に触れることを防止するため保護カバー（図示せず。）を装着するものとしている。
【００１５】
前記フレーム枠２０は両側の縦フレーム２０１、２０１と該縦フレーム２０１、２０１同士を連結する、支持部材２３と補強部材２５から形成されており、また、前記縦フレーム２０１の前面側の折曲形成した鍔板部２０１ａには多数の取付孔部２０１ｂを設けており、該取付孔部２０１ｂに前記した分岐開閉器２１等の機器を取り付けるものとしている。なお、前記縦フレーム２０１の変形、熱による膨張を防止するため前記縦フレーム２０１、２０１同士を連結する補強部材２５を前記取付孔部に複数取り付けるものとしている。
【００１６】
また、前記縦フレーム２０１の側面側には前記機器取付用縦フレーム１１に取り付けるための孔部２０１ｃやメーターパネル部３を取り付ける孔部２０１ｄを設けている。なお、機器取付用縦フレーム１１に取り付ける孔部２０１ｃは縦フレーム２０１の裏面側に折曲形成した鍔板部２０１ｅに設けても良い。
【００１７】
前記母線ユニット部機器取付ユニット２のフレーム枠２０には電流計などの計器類を収納するメーターパネル部３が取り付けられている。これにより、図３及び図４に示すように前記母線ユニット部２と前記メーターパネル部３は一体なものとして、電気機器収納用箱１に一緒に取り付けできるので取り付け作業が容易なものである。特に前記メーターパネル部３は電気機器収納用箱１のフレームに直接取り付ける必要がないので、同一の大きさのメーターパネル部で幅の異なる電気機器収納用箱にも対応できるものである。さらに、前記母線ユニット部機器取付ユニット２と前記メーターパネル部３は一体なものとしていることにより複数を電気機器収納用箱１に設置することができるものである。
【００１８】
また、前記メーターパネル部３は前記母線ユニット部２のフレーム枠２０の幅内に取り付けるものとされている。これにより、メーターパネル部３のメータ類と母線ユニット部機器取付ユニット２の分岐開閉器２１等の機器との関係が判りやすいものとなる。
【００１９】
さらに、前記メーターパネル部３は前面板部３０の両側後部に腕板部３１、３１を張設したコ字状に形成して、該腕板部３１、３１を前記母線ユニット部２のフレーム枠２０の側面すなわち両側の縦フレーム２０１、２０１に係止して取り付けるものとしている。すなわち、前記縦フレーム２０１の側面側の上部に設けた孔部２０１ｄとメーターパネル部３の腕板部３１、３１の下方に設けた孔部３１ｄを合致させて両孔部２０１ｄ、３１ｄにネジを螺合して取り付けている。
【００２０】
前記したようにメーターパネル部３をコ字状に形成して、腕板部３１、３１を前記母線ユニット部２のフレーム枠２０の側面に係止して取り付けるものとしたことにより、メーターパネル部３のメータ類取付スペース及び母線ユニット部２機器取付スペースが広く取れるものである。
【００２１】
なお、電気機器収納用箱１のメーターパネル部３背面側に遮断器や、トランス４が配置されている。また、この電気機器収納用箱１には高電圧電線を引き込んで設けた高電圧回路に触れる事故防止のための保護板６が機器取付用縦フレーム１１に取り付けた支持部材７が着脱自在に取り付けられている。
【００２２】
すなわち、前記支持部材７は機器取付用縦フレーム１１に保護板６の上下の間隔をおいて２本を取り付けている。前記支持部材７は図６−図８に示すようにそれぞれ上端に保護板６の下端縁６１を係合する上溝部７１を上部を開口させて形成して、該上溝部７１の下方に該上溝部７１の下端の前後中央を先端面とした前面を開口させた横溝部７２を設け、該横溝部７２の開口部７２ａの先端内側に隆堤部７２ｂを突設したものである。
【００２３】
そして、図７に示すように２本の支持部材７、７のうち下方の支持部材７の上端の上溝部７１に保護板６の下端縁６１を係合させて、上方の支持部材７の横溝部７２に保護板６に回動自在に設けた係止片６２ａを挿入する。その後に図８に示すように係止片６２ａの摘部６２を操作して該係止片６２ａを回動して該係止片６２ａを該横溝部７２の開口部７２ａの先端内側に突設した隆堤部７２ｂに係止させて、保護板６を保持部材７、７に保持させるものである。なお、係止片６２ａは前記横溝部７２の開口部７２ａの先端内側に突設した隆堤部７２ｂとの間を挿通できる細幅部と挿通できない縦長部により構成して摘部６２の回動操作により該係止片６２ａを回動して横溝部７２に係脱させるものである。
【００２４】
また、上下２本の支持部材７、７は前記したように同一の形状であるので、製造及び部品管理が容易であり、また、保護板６を上下に増設する場合には同一の１本の支持部材７を取り付けるだけで対応できるものである。
【符号の説明】
【００２５】
２  母線ユニット部
20  フレーム枠
21  分岐開閉器
３  メーターパネル部
30  前面板部
31  腕板部
【図１】
2010268648.tif 000003
【図２】
2010268648.tif 000004
【図３】
2010268648.tif 000005
【図４】
2010268648.tif 000006
【図５】
2010268648.tif 000007
【図６】
2010268648.tif 000008
【図７】
2010268648.tif 000009
【図８】
2010268648.tif 000010
【図９】
2010268648.tif 000011